【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
ネットワークエンティティにおけるワイヤレス通信の方法であって、
同期信号ブロックの第1のセットを有する第1の同期信号バーストセットを生成するステップと、
同期信号ブロックの第2のセットを有する少なくとも1つの第2の同期信号バーストセットを生成するステップと、
システム情報または無線リソース制御(RRC)メッセージのうちの少なくとも1つを介して少なくとも2つの周期値をユーザ機器(UE)に送信するステップと、
前記少なくとも2つの周期値のうちの第1の周期値に基づいて、少なくとも2回、第1の周波数上で前記第1の同期信号バーストセットを前記UEに送信するステップと、
前記少なくとも2つの周期値のうちの第2の周期値に基づいて、少なくとも2回、第2の周波数上で前記第2の同期信号バーストセットを前記UEに送信するステップとを含む、方法。
【請求項２】
前記第1の周波数が前記第2の周波数とは異なる、請求項1に記載の方法。
【請求項３】
前記同期信号ブロックの第1のセットを有する前記第1の同期信号バーストセットを生成するステップが、アイドル状態または接続モード状態の前記UEと前記ネットワークエンティティが通信している間に生成するステップをさらに含み、
前記同期信号ブロックの第2のセットを有する少なくとも1つの前記第2の同期信号バーストセットを生成するステップが、前記アイドル状態または接続モード状態の前記UEと前記ネットワークエンティティが通信している間に生成するステップをさらに含む、請求項1に記載の方法。
【請求項４】
前記第1の周期値が前記第2の周期値とは異なる、請求項1に記載の方法。
【請求項５】
前記第1の周期値が前記第2の周期値と同じである、請求項1に記載の方法。
【請求項６】
前記第1の周波数および前記第2の周波数が、同じ周波数キャリアまたは異なる周波数キャリアに関連付けられる、請求項1に記載の方法。
【請求項７】
前記第1の同期信号バーストセットを送信するステップが、前記第1の同期信号バーストセットを第1のタイミングオフセットを伴って送信するステップを含む、請求項1に記載の方法。
【請求項８】
前記第2の同期信号バーストセットを送信するステップが、前記第2の同期信号バーストセットを第2のタイミングオフセットを伴って送信するステップを含む、請求項7に記載の方法。
【請求項９】
前記第1のタイミングオフセットが、前記第2のタイミングオフセットと異なるかまたは同じであるかのいずれかである、請求項8に記載の方法。
【請求項１０】
システム情報、無線リソース制御(RRC)メッセージ、または両方を介して、タイミングオフセットを送信するステップをさらに含む、請求項1に記載の方法。
【請求項１１】
前記同期信号ブロックの第1のセットが、前記同期信号ブロックの第2のセットとは異なる、請求項1に記載の方法。
【請求項１２】
前記同期信号ブロックの第1のセットが、前記同期信号バーストセットの第1の複数の同期信号ブロックのうちの1つであり、
前記同期信号ブロックの第2のセットが、前記同期信号バーストセットの第2の複数の同期信号ブロックのうちの1つであり、
前記第2の複数の同期信号ブロックが、前記第1の複数の同期信号ブロックとは異なる、請求項1に記載の方法。
【請求項１３】
前記第1の同期信号バーストセットを送信するステップが、前記第1の周波数上で前記第1の複数の同期信号ブロックを送信するステップを含み、
前記第2の同期信号バーストセットを送信するステップが、前記第2の周波数上で前記第2の複数の同期信号ブロックを送信するステップを含む、請求項12に記載の方法。
【請求項１４】
前記第2の複数の同期信号ブロックが、前記第1の複数の同期信号ブロックのサブセットである、請求項12に記載の方法。
【請求項１５】
前記同期信号ブロックの第1のセットおよび前記同期信号ブロックの第2のセットの各々が、1次同期信号(PSS)、2次同期信号(SSS)、3次同期信号(TSS)、および物理ブロードキャストチャネル(PBCH)のうちの少なくとも1つに対応する複数の信号を含み、
前記PSS、前記SSS、前記TSSおよび前記PBCHのうちの少なくとも1つを、同じアンテナポートを介してまたは異なるアンテナポートを介して送信するステップを含む、請求項1に記載の方法。
【請求項１６】
ワイヤレス通信のための装置であって、
メモリと、
前記メモリと通信しているプロセッサとを備え、前記プロセッサが、
同期信号ブロックの第1のセットを有する第1の同期信号バーストセットを生成することと、
同期信号ブロックの第2のセットを有する少なくとも1つの第2の同期信号バーストセットを生成することと、
システム情報または無線リソース制御(RRC)メッセージを介して少なくとも2つの周期値をユーザ機器(UE)に送信することと、
前記少なくとも2つの周期値のうちの第1の周期値に基づいて、少なくとも2回、第1の周波数上で前記第1の同期信号バーストセットを前記UEに送信することと、
前記少なくとも2つの周期値のうちの第2の周期値に基づいて、少なくとも2回、第2の周波数上で前記第2の同期信号バーストセットを前記UEに送信することとを行うように構成される、装置。
【請求項１７】
前記第1の周波数が、前記第2の周波数と異なるかまたは同じであるかのいずれかである、請求項16に記載の装置。
【請求項１８】
前記同期信号ブロックの第1のセットを有する前記第1の同期信号バーストセットを生成するように構成された前記プロセッサが、アイドル状態または接続モード状態の前記UEとネットワークエンティティが通信している間に生成するようにさらに構成され、
前記同期信号ブロックの第2のセットを有する少なくとも1つの前記第2の同期信号バーストセットを生成するように構成された前記プロセッサが、前記アイドル状態または接続モード状態の前記UEと前記ネットワークエンティティが通信している間に生成するようにさらに構成される、請求項16に記載の装置。
【請求項１９】
前記第1の周期値が、前記第2の周期値と異なるかまたは同じであるかのいずれかである、請求項16に記載の装置。
【請求項２０】
前記プロセッサが、システム情報、無線リソース制御(RRC)メッセージ、または両方を介して、タイミングオフセットを送信するようにさらに構成される、請求項16に記載の装置。
【請求項２１】
前記第1の周波数および前記第2の周波数が、同じ周波数キャリアまたは異なる周波数キャリアに関連付けられる、請求項16に記載の装置。
【請求項２２】
前記第1の同期信号バーストセットを送信するように構成された前記プロセッサが、前記第1の同期信号バーストセットをタイミングオフセットを伴って送信するようにさらに構成される、請求項16に記載の装置。
【請求項２３】
前記第2の同期信号バーストセットを送信するように構成された前記プロセッサが、前記第2の同期信号バーストセットをタイミングオフセットを伴って送信するようにさらに構成される、請求項16に記載の装置。
【請求項２４】
前記同期信号ブロックの第1のセットが、前記同期信号ブロックの第2のセットとは異なる、請求項16に記載の装置。
【請求項２５】
前記同期信号ブロックの第1のセットが、前記同期信号バーストセットの第1の複数の同期信号ブロックのうちの1つであり、
前記同期信号ブロックの第2のセットが、前記同期信号バーストセットの第2の複数の同期信号ブロックのうちの1つであり、
前記第2の複数の同期信号ブロックが、前記第1の複数の同期信号ブロックとは異なる、請求項16に記載の装置。
【請求項２６】
前記第1の同期信号バーストセットを送信するように構成された前記プロセッサが、前記第1の周波数上で前記第1の複数の同期信号ブロックを送信するようにさらに構成され、
前記第2の同期信号バーストセットを送信するように構成された前記プロセッサが、前記第2の周波数上で前記第2の複数の同期信号ブロックを送信するようにさらに構成される、請求項25に記載の装置。
【請求項２７】
前記第2の複数の同期信号ブロックが、前記第1の複数の同期信号ブロックのサブセットである、請求項25に記載の装置。
【請求項２８】
前記同期信号ブロックの第1のセットおよび前記同期信号ブロックの第2のセットの各々が、1次同期信号(PSS)、2次同期信号(SSS)、3次同期信号(TSS)、および物理ブロードキャストチャネル(PBCH)のうちの少なくとも1つに対応する複数の信号を含み、
前記プロセッサが、前記PSS、前記SSS、前記TSSおよび前記PBCHのうちの少なくとも1つを、同じアンテナポートを介してまたは異なるアンテナポートを介して送信するように構成される、請求項16に記載の装置。
【請求項２９】
ワイヤレス通信のための装置であって、
同期信号ブロックの第1のセットを有する第1の同期信号バーストセットを生成するための手段と、
同期信号ブロックの第2のセットを有する少なくとも1つの第2の同期信号バーストセットを生成するための手段と、
システム情報または無線リソース制御(RRC)メッセージを介して少なくとも2つの周期値をユーザ機器(UE)に送信するための手段と、
前記少なくとも2つの周期値のうちの第1の周期値に基づいて、少なくとも2回、第1の周波数上で前記第1の同期信号バーストセットを前記UEに送信するための手段と、
前記少なくとも2つの周期値のうちの第2の周期値に基づいて、少なくとも2回、第2の周波数上で前記第2の同期信号バーストセットを前記UEに送信するための手段とを含む、装置。
【請求項３０】
ワイヤレス通信のためのプロセッサによって実行可能なコンピュータコードを記憶するコンピュータ可読記憶媒体であって、
同期信号ブロックの第1のセットを有する第1の同期信号バーストセットを生成するためのコードと、
同期信号ブロックの第2のセットを有する少なくとも1つの第2の同期信号バーストセットを生成するためのコードと、
システム情報または無線リソース制御(RRC)メッセージを介して少なくとも2つの周期値をユーザ機器(UE)に送信するためのコードと、
前記少なくとも2つの周期値のうちの第1の周期値に基づいて、少なくとも2回、第1の周波数上で前記第1の同期信号バーストセットを前記UEに送信するためのコードと、
前記少なくとも2つの周期値のうちの第2の周期値に基づいて、少なくとも2回、第2の周波数上で前記第2の同期信号バーストセットを前記UEに送信するためのコードとを含む、コンピュータ可読記憶媒体。